(57)【要約】【課題】利用者の詳細な状況に即した健康情報が提示され得る健康支援システム、健康支援方法およびプログラムを提供する。【解決手段】人の状態に係る各項目に１以上の要素が属し且つ２以上の項目にわたる要素の組合せを各々示す複数の組合せ情報が蓄積され、各組合せ情報に対して健康情報が関連付けられている第１基準情報が記憶部に記憶されており、１以上の数値項目の各項目について一利用者の状態に係る数値が取得され、１以上の別項目の各項目ついて一利用者に係る要素が取得される。各数値項目に複数の値域を示す要素が属している第２基準情報が参照されて、各数値項目について、取得された数値が属する値域を示す要素が認識される。第１基準情報が参照されることで、１以上の別項目について取得された１以上の要素と、１以上の数値項目について認識された１以上の値域を示す要素との組合せに対応する健康情報が検出されて、出力部で可視的に出力される。【選択図】図４
2014174775.tif 000002
【特許請求の範囲】
【請求項１】
人の状態に係る複数の項目の各項目に１以上の要素が属し、且つ前記複数の項目のうちの２以上の項目にわたる要素の組合せをそれぞれ示す複数の組合せ情報が蓄積され、各前記組合せ情報に対して健康情報が関連付けられている第１基準情報を記憶する記憶部と、
前記複数の項目のうちの１以上の数値項目の各項目について一利用者の状態に係る数値を取得し、前記複数の項目のうちの前記１以上の数値項目とは異なる１以上の別項目の各項目ついて前記一利用者に係る要素を取得する取得部と、
前記１以上の数値項目の各項目に複数の値域を示す要素が属している第２基準情報を参照することで、前記１以上の数値項目の各項目について、前記取得部で取得された前記数値が属する値域を示す要素を認識する値域認識部と、
前記第１基準情報を参照することで、前記取得部によって前記１以上の別項目について取得された１以上の要素と、前記値域認識部によって前記１以上の数値項目について認識された１以上の値域を示す要素との組合せに対応する前記健康情報を検出する検出部と、
前記検出部によって検出される前記健康情報を可視的に出力する出力部と、
を備えることを特徴とする健康支援システム。
【請求項２】
請求項１に記載の健康支援システムであって、
サーバーと、
該サーバーに対してデーター送受信可能に接続されている端末機器と、
を備えており、
前記サーバーが、
前記記憶部、前記取得部、前記値域認識部および前記検出部を含み、
前記端末機器が、
前記出力部を含むことを特徴とする健康支援システム。
【請求項３】
請求項１または請求項２に記載の健康支援システムであって、
前記複数の組合せ情報が、
前記複数の項目のうちの一部の項目にわたる要素の組合せを示す情報を含むことを特徴とする健康支援システム。
【請求項４】
請求項１から請求項３の何れか１つの請求項に記載の健康支援システムであって、
前記１以上の別項目および前記１以上の数値項目の少なくとも２項目に関し、前記取得部によって各前記別項目について取得された１以上の要素および前記値域認識部によって各前記数値項目について認識された１以上の値域を示す要素の何れか一方の要素について、第１時点と該第１時点よりも後の第２時点との間における要素の相違量をそれぞれ認識する相違量認識部、
をさらに備え、
前記第１基準情報が、
前記１以上の別項目および前記１以上の数値項目にわたる要素の相違量の組合せに対して前記健康情報が関連付けられている情報を含んでおり、
前記検出部が、
前記第１基準情報を参照することで、前記相違量認識部によって認識された前記少なくとも２項目に関する要素の相違量の組合せに対応する前記健康情報を検出することを特徴とする健康支援システム。
【請求項５】
請求項４記載の健康支援システムであって、
前記取得部によって前記１以上の別項目について取得された１以上の要素と、前記値域認識部によって前記１以上の数値項目について認識された１以上の値域を示す要素との組合せと、該組合せに係る前記要素の相違量の組合せとが関連付けることで経時変化情報を生成し、該経時変化情報を前記記憶部に蓄積する蓄積制御部と、
前記記憶部に蓄積されている前記経時変化情報から、前記１以上の別項目についての１以上の要素と、前記１以上の数値項目についての１以上の値域を示す要素との組合せに対して、前記要素の相違量の組合せに係る統計情報を導出する導出部と、
前記統計情報に基づく情報を前記検出部によって検出される前記健康情報に対して追加する追加部と、
をさらに備えることを特徴とする健康支援システム。
【請求項６】
請求項４記載の健康支援システムであって、
前記取得部によって前記１以上の別項目について取得された１以上の要素と、前記値域認識部によって前記１以上の数値項目について認識された１以上の値域を示す要素との組合せと、該組合せに係る前記要素の相違量の組合せとが関連付けることで経時変化情報を生成し、該経時変化情報を前記記憶部に蓄積する蓄積制御部と、
前記記憶部に蓄積されている前記経時変化情報から、前記取得部によって前記１以上の別項目について取得された１以上の要素と、前記値域認識部によって前記１以上の数値項目について認識された１以上の値域を示す要素との組合せに対して、前記要素の相違量の組合せに係る統計情報を導出する統計情報導出部と、
第１タイミングにおいて前記統計情報導出部によって前記経時変化情報から導出される前記要素の相違量の組合せに係る第１統計情報と、前記第１タイミングよりも後の第２タイミングにおいて前記統計情報導出部によって前記経時変化情報から導出される前記要素の相違量の組合せに係る第２統計情報との関係が、予め設定された関係を満たすか否かを判定する判定部と、
前記判定部による判定結果に応じた報知を予め設定された報知部に行わせる報知制御部と、
をさらに備えることを特徴とする健康支援システム。
【請求項７】
請求項１から請求項６の何れか１つの請求項に記載の健康支援システムであって、
予め設定された条件を満たす機器からの信号を受け付ける受付部と、
前記検出部によって検出される前記健康情報に対して、前記受付部で受け付けられた信号に応じた付加情報を付加する付加部と、
をさらに備え、
前記出力部が、
前記付加部によって前記付加情報が付加された前記健康情報を可視的に出力することを特徴とする健康支援システム。
【請求項８】
請求項７に記載の健康支援システムであって、
前記記憶部が、
前記付加情報を記憶し、
前記付加部が、
前記検出部によって前記健康情報が検出される度に、該健康情報に対して、前記記憶部に記憶されている前記付加情報を付加することを特徴とする健康支援システム。
【請求項９】
請求項６に記載の健康支援システムであって、
予め設定された条件を満たす機器からの信号を受け付ける受付部と、
前記受付部で受け付けられた信号に応じて、前記第１基準情報に含まれる前記健康情報を更新する更新部と、
をさらに備えることを特徴とする健康支援システム。
【請求項１０】
請求項１から請求項９の何れか１つの請求項に記載の健康支援システムであって、
前記取得部が、
前記一利用者の状態に係る測定および検査のうちの少なくとも一方の結果を示す情報から、各前記数値項目についての前記一利用者の状態に係る数値を取得することを特徴とする健康支援システム。
【請求項１１】
請求項１から請求項１０の何れか１つの請求項に記載の健康支援システムであって、
前記取得部が、
各前記別項目について、複数の選択肢からの一選択肢の選択結果に応じて前記一利用者に係る要素を取得することを特徴とする健康支援システム。
【請求項１２】
(ａ)人の状態に係る複数の項目の各項目に１以上の要素が属し、且つ前記複数の項目のうちの２以上の項目にわたる要素の組合せをそれぞれ示す複数の組合せ情報が蓄積され、各前記組合せ情報に対して健康情報が関連付けられている第１基準情報を、記憶部に記憶する準備ステップと、
(ｂ)前記複数の項目のうちの１以上の数値項目の各項目について一利用者の状態に係る数値を取得し、前記複数の項目のうちの前記１以上の数値項目とは異なる１以上の別項目の各項目ついて前記一利用者に係る要素を取得する取得ステップと、
(ｃ)前記１以上の数値項目の各項目に複数の値域を示す要素が属している第２基準情報を参照することで、前記１以上の数値項目の各項目について、前記取得ステップで取得された前記数値が属する値域を示す要素を認識する認識ステップと、
(ｄ)前記第１基準情報を参照することで、前記取得ステップで前記１以上の別項目について取得された１以上の要素と、前記認識ステップで前記１以上の数値項目について認識された１以上の値域を示す要素との組合せに対応する前記健康情報を検出する検出ステップと、
(ｅ)前記検出ステップで検出される前記健康情報を出力部で可視的に出力する出力ステップと、
を有することを特徴とする健康支援方法。
【請求項１３】
健康支援システムに含まれる制御部において実行されることにより、前記健康支援システムを、請求項１から請求項１１の何れか１つの請求項に記載の健康支援システムとして機能させるプログラム。
【発明の詳細な説明】
【技術分野】
【０００１】
本発明は、健康支援システム、健康支援方法およびプログラムに関する。
【背景技術】
【０００２】
近年、医療の現場では、電子カルテ等による医療情報の管理が進められている。そして、医療機関の利用者としての患者の状態に応じた傷病の状態および対処方法等の情報を提供するシステムが提案されている（例えば、特許文献１，２）。
【０００３】
例えば、特許文献１の技術では、検査および問診に係る結果データーから傷病判定用の判定要素に係る利用者の値が取得されて、利用者の判定フラグ列が生成され、該判定フラグ列と判定条件子とが、判定条件子の優先度順に比較される。そして、判定フラグ列と判定条件子とが一致した場合には、比較が停止され、一致する判定条件子に関連付けられた文章が判定結果として出力される。
【０００４】
また、特許文献２の技術では、利用者による問診等に係る情報入力に応答して認識される１以上の症状要素の全てと組み合わされている１つの疾患名が検出され、該１つの疾患名から複数の対処名が検出される。そして、１つの疾患名と複数の対処名とが組み合わされた疾患対処情報が可視的に出力される。
【先行技術文献】
【特許文献】
【０００５】
【特許文献１】特開２００６−４２９８６号公報
【特許文献２】特開２００８−１０２６９９号公報
【発明の概要】
【発明が解決しようとする課題】
【０００６】
しかしながら、上記特許文献１の技術では、判定フラグ列と判定条件子とが一致した場合には比較が停止されるため、優先度の順番が相対的に後ろの判定条件子に係る判定結果の情報が得られない。
【０００７】
また、上記特許文献２の技術では、予め用意された選択肢から利用者によって選択された症状の組合せのみから疾患名および対処名が検出されるため、利用者に係る幅広い状況に即した疾患名および対処名等に係る健康情報が得られない。
【０００８】
本発明は、上記課題に鑑みてなされたものであり、利用者の詳細な状況に即した健康情報が提示され得る健康支援システム、健康支援方法およびプログラムを提供することを目的とする。
【課題を解決するための手段】
【０００９】
上記課題を解決するために、第１の態様に係る健康支援システムは、人の状態に係る複数の項目の各項目に１以上の要素が属し、且つ前記複数の項目のうちの２以上の項目にわたる要素の組合せをそれぞれ示す複数の組合せ情報が蓄積され、各前記組合せ情報に対して健康情報が関連付けられている第１基準情報を記憶する記憶部と、前記複数の項目のうちの１以上の数値項目の各項目について一利用者の状態に係る数値を取得し、前記複数の項目のうちの前記１以上の数値項目とは異なる１以上の別項目の各項目ついて前記一利用者に係る要素を取得する取得部と、前記１以上の数値項目の各項目に複数の値域を示す要素が属している第２基準情報を参照することで、前記１以上の数値項目の各項目について、前記取得部で取得された前記数値が属する値域を示す要素を認識する値域認識部と、前記第１基準情報を参照することで、前記取得部によって前記１以上の別項目について取得された１以上の要素と、前記値域認識部によって前記１以上の数値項目について認識された１以上の値域を示す要素との組合せに対応する前記健康情報を検出する検出部と、前記検出部によって検出される前記健康情報を可視的に出力する出力部と、を備える。
【００１０】
第２の態様に係る健康支援システムは、第１の態様に係る健康支援システムであって、サーバーと、該サーバーに対してデーター送受信可能に接続されている端末機器と、を備えており、前記サーバーが、前記記憶部、前記取得部、前記値域認識部および前記検出部を含み、前記端末機器が、前記出力部を含む。
【００１１】
第３の態様に係る健康支援システムは、第１または第２の態様に係る健康支援システムであって、前記複数の組合せ情報が、前記複数の項目のうちの一部の項目にわたる要素の組合せを示す情報を含む。
【００１２】
第４の態様に係る健康支援システムは、第１から第３の何れか１つの態様に係る健康支援システムであって、前記１以上の別項目および前記１以上の数値項目の少なくとも２項目に関し、前記取得部によって各前記別項目について取得された１以上の要素および前記値域認識部によって各前記数値項目について認識された１以上の値域を示す要素の何れか一方の要素について、第１時点と該第１時点よりも後の第２時点との間における要素の相違量をそれぞれ認識する相違量認識部、をさらに備え、前記第１基準情報が、前記１以上の別項目および前記１以上の数値項目にわたる要素の相違量の組合せに対して前記健康情報が関連付けられている情報を含んでおり、前記検出部が、前記第１基準情報を参照することで、前記相違量認識部によって認識された前記少なくとも２項目に関する要素の相違量の組合せに対応する前記健康情報を検出する。
【００１３】
第５の態様に係る健康支援システムは、第４の態様に係る健康支援システムであって、前記取得部によって前記１以上の別項目について取得された１以上の要素と、前記値域認識部によって前記１以上の数値項目について認識された１以上の値域を示す要素との組合せと、該組合せに係る前記要素の相違量の組合せとが関連付けることで経時変化情報を生成し、該経時変化情報を前記記憶部に蓄積する蓄積制御部と、前記記憶部に蓄積されている前記経時変化情報から、前記１以上の別項目についての１以上の要素と、前記１以上の数値項目についての１以上の値域を示す要素との組合せに対して、前記要素の相違量の組合せに係る統計情報を導出する導出部と、前記統計情報に基づく情報を前記検出部によって検出される前記健康情報に対して追加する追加部と、をさらに備える。
【００１４】
第６の態様に係る健康支援システムは、第４の態様に係る健康支援システムであって、前記取得部によって前記１以上の別項目について取得された１以上の要素と、前記値域認識部によって前記１以上の数値項目について認識された１以上の値域を示す要素との組合せと、該組合せに係る前記要素の相違量の組合せとが関連付けることで経時変化情報を生成し、該経時変化情報を前記記憶部に蓄積する蓄積制御部と、前記記憶部に蓄積されている前記経時変化情報から、前記取得部によって前記１以上の別項目について取得された１以上の要素と、前記値域認識部によって前記１以上の数値項目について認識された１以上の値域を示す要素との組合せに対して、前記要素の相違量の組合せに係る統計情報を導出する統計情報導出部と、第１タイミングにおいて前記統計情報導出部によって前記経時変化情報から導出される前記要素の相違量の組合せに係る第１統計情報と、前記第１タイミングよりも後の第２タイミングにおいて前記統計情報導出部によって前記経時変化情報から導出される前記要素の相違量の組合せに係る第２統計情報との関係が、予め設定された関係を満たすか否かを判定する判定部と、前記判定部による判定結果に応じた報知を予め設定された報知部に行わせる報知制御部と、をさらに備える。
【００１５】
第７の態様に係る健康支援システムは、第１から第６の何れか１つの態様に係る健康支援システムであって、予め設定された条件を満たす機器からの信号を受け付ける受付部と、前記検出部によって検出される前記健康情報に対して、前記受付部で受け付けられた信号に応じた付加情報を付加する付加部と、をさらに備え、前記出力部が、前記付加部によって前記付加情報が付加された前記健康情報を可視的に出力する。
【００１６】
第８の態様に係る健康支援システムは、第７の態様に係る健康支援システムであって、前記記憶部が、前記付加情報を記憶し、前記付加部が、前記検出部によって前記健康情報が検出される度に、該健康情報に対して、前記記憶部に記憶されている前記付加情報を付加する。
【００１７】
第９の態様に係る健康支援システムは、第６の態様に係る健康支援システムであって、予め設定された条件を満たす機器からの信号を受け付ける受付部と、前記受付部で受け付けられた信号に応じて、前記第１基準情報に含まれる前記健康情報を更新する更新部と、をさらに備える。
【００１８】
第１０の態様に係る健康支援システムは、第１から第９の何れか１つの態様に係る健康支援システムであって、前記取得部が、前記一利用者の状態に係る測定および検査のうちの少なくとも一方の結果を示す情報から、各前記数値項目についての前記一利用者の状態に係る数値を取得する。
【００１９】
第１１の態様に係る健康支援システムは、第１から第１０の何れか１つの態様に係る健康支援システムであって、前記取得部が、各前記別項目について、複数の選択肢からの一選択肢の選択結果に応じて前記一利用者に係る要素を取得する。
【００２０】
第１２の態様に係る健康支援方法は、(ａ)人の状態に係る複数の項目の各項目に１以上の要素が属し、且つ前記複数の項目のうちの２以上の項目にわたる要素の組合せをそれぞれ示す複数の組合せ情報が蓄積され、各前記組合せ情報に対して健康情報が関連付けられている第１基準情報を、記憶部に記憶する準備ステップと、(ｂ)前記複数の項目のうちの１以上の数値項目の各項目について一利用者の状態に係る数値を取得し、前記複数の項目のうちの前記１以上の数値項目とは異なる１以上の別項目の各項目ついて前記一利用者に係る要素を取得する取得ステップと、(ｃ)前記１以上の数値項目の各項目に複数の値域を示す要素が属している第２基準情報を参照することで、前記１以上の数値項目の各項目について、前記取得ステップで取得された前記数値が属する値域を示す要素を認識する認識ステップと、(ｄ)前記第１基準情報を参照することで、前記取得ステップで前記１以上の別項目について取得された１以上の要素と、前記認識ステップで前記１以上の数値項目について認識された１以上の値域を示す要素との組合せに対応する前記健康情報を検出する検出ステップと、(ｅ)前記検出ステップで検出される前記健康情報を出力部で可視的に出力する出力ステップと、を有する。
【００２１】
第１３の態様に係るプログラムは、健康支援システムに含まれる制御部において実行されることにより、前記健康支援システムを、第１から第１１の何れか１つの態様に係る健康支援システムとして機能させる。
【発明の効果】
【００２２】
第１から第１１の何れの態様に係る健康支援システムによっても、利用者の詳細な状況に即した健康情報が提示され得る。
【００２３】
第２の態様に係る健康支援システムによれば、利用者は、空間的および時間的な制約に拘わらず、詳細な状況に即した健康情報を得ることができる。
【００２４】
第３の態様に係る健康支援システムによれば、情報の欠落によって健康情報が得られないと言った不具合が生じ難い。
【００２５】
第４の態様に係る健康支援システムによれば、利用者の状態の変化に応じた健康情報が提示され得る。
【００２６】
第５の態様に係る健康支援システムによれば、蓄積された情報に基づいて導出される統計的な情報が提示されるため、利用者はさらに詳しい健康情報を得ることができる。
【００２７】
第６の態様に係る健康支援システムによれば、統計情報の変化に応じた報知によって、より新しい傾向を踏まえた健康情報に更新すべきことが報知され得る。
【００２８】
第７および第８の何れの態様に係る健康支援システムによっても、利用者毎の状況により即した健康情報が提示され得る。
【００２９】
第８の態様に係る健康支援システムによれば、健康情報に更なる情報を付加する作業が簡略化され得る。
【００３０】
第９の態様に係る健康支援システムによれば、統計情報の変化に応じて、より新しい傾向を踏まえた健康情報が提示され得るように健康情報を更新することができる。
【００３１】
第１２の態様に係る健康支援方法および第１３の態様に係るプログラムの何れによっても、利用者の詳細な状況に即した健康情報が得られる。
【図面の簡単な説明】
【００３２】
【図１】一実施形態に係る健康支援システムの概略構成を例示する図である。
【図２】データーセンターサーバーの機能的な構成例を示す図である。
【図３】病院サーバー、端末機器および管理用機器の機能的な構成例を示す図である。
【図４】健康支援システムの健康支援機能に係る機能的な構成例を示す図である。
【図５】知識ベースのデーター内容を例示する図である。
【図６】知識ベースのデーター内容を例示する図である。
【図７】知識ベースのデーター内容を例示する図である。
【図８】知識ベースのデーター内容を例示する図である。
【図９】知識ベースのデーター内容を例示する図である。
【図１０】知識ベースのデーター内容を例示する図である。
【図１１】健康支援動作で表示されるトップ画面を例示する図である。
【図１２】健康支援動作で表示される検索画面を例示する図である。
【図１３】健康支援動作で表示される問診画面を例示する図である。
【図１４】健康支援動作で表示されるデーター入力画面を例示する図である。
【図１５】健康支援動作で表示されるアドバイス提示画面を例示する図である。
【図１６】健康支援動作で表示されるデーター照会画面を例示する図である。
【図１７】健康支援動作で表示されるお知らせ画面を例示する図である。
【図１８】健康支援動作における処理フローを例示する流れ図である。
【図１９】健康支援動作における処理フローを例示する流れ図である。
【図２０】健康支援動作における処理フローを例示する流れ図である。
【図２１】健康支援動作における処理フローを例示する流れ図である。
【図２２】健康支援動作における処理フローを例示する流れ図である。
【図２３】健康支援動作における処理フローを例示する流れ図である。
【図２４】健康支援動作における処理フローを例示する流れ図である。
【図２５】健康支援動作における処理フローを例示する流れ図である。
【発明を実施するための形態】
【００３３】
以下、本発明の一実施形態を図面に基づいて説明する。なお、図面においては同様な構成および機能を有する部分については同じ符号が付されており、下記説明では重複説明が省略される。
【００３４】
＜(１)一実施形態＞
＜(１−１)健康支援システムの概略構成＞
図１は、一実施形態に係る健康支援システム１の概略構成を例示する図である。該健康支援システム１は、利用者の状態に応じた健康を支援するための各種情報（健康情報とも言う）を提供する機能（健康支援機能とも言う）を有している。
【００３５】
図１で示されるように、健康支援システム１は、データーセンターサーバー（ＤＣサーバーとも言う）１０、病院サーバー２０、端末機器３０〜５０および管理用機器６０を備えている。健康支援システム１では、ＤＣサーバー１０、病院サーバー２０、端末機器３０〜５０および管理用機器６０は、例えば、通信回線ＮＴＷを介して、相互にデーター送受信可能に接続されている。通信回線ＮＴＷは、有線回線および無線回線の何れであっても良い。具体的には、通信回線ＮＴＷは、例えば、インターネット回線等のネットワーク回線を含むものであれば良い。
【００３６】
ＤＣサーバー１０は、健康を支援するための各種情報を提供するためのサーバーである。該ＤＣサーバー１０は、例えば、健康支援システム１を管理および運営する団体等によって設置されていれば良い。また、ＤＣサーバー１０は、例えば、ＡＳＰ（Application Service Provider）サービスを提供するサーバーであれば良い。そして、ＤＣサーバー１０は、個人健康記録（ＰＨＲ:Personal Health Record）１４１および知識ベース１４２を有している。
【００３７】
ＰＨＲ１４１は、健康支援システム１の各利用者の健康等に係る状態を示す情報を記憶している。ＰＨＲ１４１は、例えば、健康支援システム１の各利用者についての電子カルテの情報（電子カルテ情報とも言う）の少なくとも一部の情報が病院サーバー２０の電子カルテデーターベース（電子カルテＤＢとも言う）２４１から取得されて構築される。知識ベース１４２は、ＰＨＲ１４１に格納されている各利用者の状態に応じた健康情報を検出するための各種情報を格納している。ここで、健康情報には、例えば、医学的知識に基づいて判断され得る健康状態および利用者に対するアドバイス等と言った人の健康に関する各種情報が含まれれば良い。また、知識ベース１４２に格納されている各種情報は、例えば、管理用機器６０からの入力に応じて生成される。
【００３８】
このようなＤＣサーバー１０では、端末機器４０，５０からの要求に応じて、各利用者の状態に応じた健康情報が検出される。該健康情報は、例えば、通信回線ＮＴＷを介して端末機器４０，５０に送信され、端末機器４０，５０において可視的に出力される。
【００３９】
病院サーバー２０は、医療機関に設置されているサーバーである。医療機関には、例えば、総合病院および個人病院等といった種々の形態の病院等が含まれ得る。また、病院サーバー２０は、電子カルテＤＢ２４１を有している。電子カルテＤＢ２４１には、例えば、各利用者についての問診、検査、測定および診察等の結果を示す情報が格納される。ここで、各利用者に係る電子カルテ情報については、医師が、問診の結果を参照しながら必要な検査および診察等を行うことで生成する。なお、病院サーバー２０が設置されている医療機関の承認に応じて、ＤＣサーバー１０によって電子カルテＤＢ２４１から各利用者に係る電子カルテ情報の少なくとも一部の情報が取得される。
【００４０】
端末機器３０は、例えば、問診における問いを提示し、その問いに対する回答を示す情報の利用者による入力を受け付けて、病院サーバー２０に送信する。該端末機器３０は、例えば、医療機関等に配されている情報処理機器であれば良い。該情報処理機器は、可搬式のいわゆるタブレット端末等の情報処理機器および固定式の情報処理機器の何れであっても良い。ここでは、例えば、医療機関を訪れた各利用者が端末機器３０を用いて問診の問いに対して回答することで、各利用者による問診の回答等を示す情報（問診情報とも言う）が入力される。端末機器３０を用いて入力される問診情報は、例えば、通信回線ＮＴＷを介して病院サーバー２０に送信され、電子カルテＤＢ２４１に記憶される。このとき、各利用者の問診情報が、対応する各利用者についての電子カルテ情報に記述される。
【００４１】
端末機器４０，５０は、健康支援システム１の利用者等が使用する端末機器である。これらの端末機器４０および端末機器５０は、例えば、利用者が所有する、いわゆるスマートフォン等の携帯電話機およびパーソナルコンピューター（パソコンとも言う）の何れであっても良い。ここでは、健康支援システム１の利用者は、端末機器４０，５０の何れかを用いて、通信回線ＮＴＷを経由してＤＣサーバー１０にアクセスすることで、各種の健康情報等を容易に取得することができる。
【００４２】
管理用機器６０は、ＤＣサーバー１０を管理するための情報処理機器である。該管理用機器６０は、例えば、健康支援システム１を管理および運営する団体等によって設置されていれば良い。該情報処理機器は、例えば、パソコン等の各種情報処理機器であれば良い。ここでは、健康支援システム１の管理者が管理用機器６０を用いることで、知識ベース１４２の記憶内容が更新および変更され得る。
【００４３】
＜(１−２)健康支援システムの機能的な構成＞
＜(１−２−１)ＤＣサーバー＞
図２は、ＤＣサーバー１０の機能的な構成を例示するブロック図である。ＤＣサーバー１０は、例えば、パソコンであれば良く、操作部１１、表示部１２、インターフェース（Ｉ／Ｆ）部１３、記憶部１４、入出力（Ｉ／Ｏ）部１５および制御部１６を備えている。
【００４４】
操作部１１は、例えば、マウスおよびキーボードを含む。表示部１２は、例えば、液晶ディスプレイを含む。Ｉ／Ｆ部１３は、例えば、通信回線ＮＴＷ等を介して病院サーバー２０、端末機器３０〜５０および管理用機器６０との間におけるデーターの授受を行う。記憶部１４は、例えば、ハードディスク等を含み、プログラムＰ１、ＰＨＲ１４１、知識ベース１４２および各種データーを格納する。知識ベース１４２には、第１基準情報としての検出基準情報１４２ａと第２基準情報としての値域基準情報１４２ｂとが含まれている。Ｉ／Ｏ部１５は、例えば、ディスクドライブを備え、光ディスク等の記憶媒体Ｄ１を受け付けて該記憶媒体Ｄ１と制御部１６との間におけるデーターの授受を行う。制御部１６は、例えば、プロセッサーとして働くＣＰＵ１６ａおよび情報を一時的に記憶するメモリー１６ｂ等を含む。該制御部１６は、記憶部１４に格納されているプログラムＰ１を読み込んで実行することで、ＤＣサーバー１０の各種機能および情報処理等を実現する。そして、制御部１６における各種情報処理によって一時的に得られる各種情報は、メモリー１６ｂ等に記憶される。このようにして、制御部１６においてプログラムＰ１が実行されることにより、健康支援システム１における健康支援機能が実現される。
【００４５】
＜(１−２−２)病院サーバー、端末機器および管理用機器＞
図３は、病院サーバー２０、端末機器３０〜５０および管理用機器６０の機能的な構成を例示するブロック図である。
【００４６】
病院サーバー２０は、例えば、パソコンであれば良く、操作部２１、表示部２２、Ｉ／Ｆ部２３、記憶部２４、Ｉ／Ｏ部２５および制御部２６を備えている。操作部２１は、例えば、マウスおよびキーボードを含む。表示部２２は、各種情報を可視的に出力する部分（出力部とも言う）であり、例えば、液晶ディスプレイ等を含む。Ｉ／Ｆ部２３は、例えば、通信回線ＮＴＷ等を介してＤＣサーバー１０等との間におけるデーターの授受を行う。記憶部２４は、例えば、ハードディスク等を含み、プログラムＰ２、電子カルテＤＢ２４１および各種データーを格納する。Ｉ／Ｏ部２５は、例えば、ディスクドライブを備え、光ディスク等の記憶媒体Ｄ２を受け付けて該記憶媒体Ｄ２と制御部２６との間におけるデーターの授受を行う。制御部２６は、例えば、プロセッサーとして働くＣＰＵ２６ａおよび情報を一時的に記憶するメモリー２６ｂ等を含む。該制御部２６は、記憶部２４に格納されているプログラムＰ２を読み込んで実行することで、病院サーバー２０の各種機能および情報処理等を実現する。そして、制御部２６における各種情報処理によって一時的に得られる各種情報は、メモリー２６ｂ等に記憶される。
【００４７】
端末機器３０は、病院サーバー２０と比較して、例えば、操作部２１の構成ならびに制御部２６で実行される機能および情報処理が異なっているものの、病院サーバー２０とほぼ同様な機能的な構成を有している。ここでは、例えば、操作部２１と表示部２２とが一体化されたタッチパネルが採用されれば良い。また、制御部２６は、記憶部２４に格納されているプログラムＰ３を読み込んで実行することで、端末機器３０の各種機能および情報処理等を実現する。
【００４８】
端末機器４０は、端末機器３０と比較して、例えば、操作部２１の構成ならびに制御部２６で実行される機能および情報処理が異なっているものの、端末機器３０とほぼ同様な機能的な構成を有している。ここでは、操作部２１は、例えば、マウスおよびキーボードを含むものであれば良い。また、制御部２６では、記憶部２４に格納されているプログラムＰ４が読み込まれて実行されることで、端末機器４０の各種機能および情報処理が実現されれば良い。
【００４９】
端末機器５０は、端末機器３０と比較して、例えば、制御部２６で実行される機能および情報処理が異なっているものの、端末機器４０とほぼ同様な機能的な構成を有している。ここで、制御部２６では、記憶部２４に格納されているプログラムＰ５が読み込まれて実行されることで、端末機器５０の各種機能および情報処理が実現されれば良い。
【００５０】
管理用機器６０は、病院サーバー２０と比較して、例えば、制御部２６で実行される機能および情報処理が異なっているものの、病院サーバー２０とほぼ同様な機能的な構成を有している。ここで、制御部２６では、記憶部２４に格納されているプログラムＰ６が読み込まれて実行されることで、管理用機器６０の各種機能および情報処理が実現されれば良い。
【００５１】
＜(１−２−３)健康支援機能に係る機能的な構成＞
図４は、健康支援システム１の主要な構成を示すブロック図である。図４では、健康支援機能に係る機能的な構成が示されている。
【００５２】
図４で示されるように、記憶部１４には、ＰＨＲ１４１、知識ベース１４２、テキスト情報１４３、経時変化情報１４４、統計情報１４５および付加情報１４６が格納される。ＤＣサーバー１０の制御部１６は、プログラムＰ１の実行によって実現される構成として、例えば、各種機能部を備えている。ここで、各種機能部には、データー取得部１６１、値域認識部１６２、組合せ決定部１６３、健康情報検出部１６４、出力制御部１６５、相違量認識部１６６、蓄積制御部１６７、統計情報導出部１６８、情報追加部１６９および変化判定部１７０が含まれている。また、各種機能部には、報知制御部１７１、信号受付部１７２、情報付加部１７３、記憶制御部１７４および情報更新部１７５が含まれている。端末機器４０，５０の制御部２６は、プログラムＰ４，Ｐ５の実行によって実現される構成として、例えば、表示制御部２６１および送信制御部２６２を備えている。
【００５３】
＜(１−２−３−１)記憶部に格納される各種情報＞
ＰＨＲ１４１は、例えば、利用者毎に、問診、検査、測定および診察等に係る結果を示す情報を格納している。
【００５４】
知識ベース１４２は、上述したように検出基準情報１４２ａおよび値域基準情報１４２ｂを記憶している。
【００５５】
値域基準情報１４２ｂは、値域認識部１６２において、利用者の状態に係る数値が複数の値域の何れに該当するのかが認識される際に基準とされる情報である。具体的には、値域基準情報１４２ｂにおいては、人の状態に係る複数の項目のうちの１以上の数値項目の各項目に複数の値域を示す要素が属している。ここで、１以上の数値項目は、例えば、検査および測定等によって得られる数値に係る項目であれば良い。
【００５６】
図５から図８は、値域基準情報１４２ｂの記憶内容を例示する図である。図５から図８で示されるように、１以上の数値項目には、例えば、年齢および身長等と言った利用者属性に係る項目、ならびに体重および体脂肪率等と言った体重および体組成に係る項目等が含まれる。また、１以上の数値項目には、収縮期の血圧（最高血圧とも言う）および拡張期の血圧（最低血圧とも言う）等と言った血圧に係る項目、ならびに総コレステロール、ＨＤＬ、中性脂肪、血糖値およびγ−ＧＴＰ等と言った血液生化学に係る項目等が含まれる。そして、例えば、図５で示されるように、数値項目としての年齢には、複数の値域を示す要素としての「２０未満」「２０〜４０」「４０〜６０」「６０〜８０」および「８０以上」が属している。なお、図５には、利用者属性に係る項目として性別が示されているが、該性別は、１以上の数値項目とは異なる１以上の別項目に含まれれば良い。
【００５７】
なお、値域基準情報１４２ｂは、例えば、リレーショナルデーターベース（ＲＤＢ）の方式で記述されても良いし、ＸＭＬで記述されても良い。
【００５８】
検出基準情報１４２ａは、健康情報検出部１６４において利用者の状態に応じた健康情報が検出される際に基準とされる情報である。具体的には、検出基準情報１４２ａには、人の状態に係る複数の項目の各項目に１以上の要素が属し、且つ該複数の項目のうちの２以上の項目にわたる要素の組合せをそれぞれ示す複数の組合せを示す情報（要素組合せ情報とも言う）が蓄積されている。なお、要素組合せ情報には、例えば、複数の項目のうちの一部の項目にわたる要素の組合せを示す情報が含まれていても良い。また、検出基準情報１４２ａにおいては、各要素組合せ情報に対して健康情報に係る要素が関連付けられている。
【００５９】
図９は、検出基準情報１４２ａの記憶内容を例示する図である。図９には、組合せ１および組合せ２と言った２つの要素組合せ情報が例示されている。ここでは、各要素組合せ情報は、利用者属性に係る３項目、体重体組成に係る２項目、血圧に係る２項目、血液生化学に係る５項目および問診に係る９項目の合計２１項目にわたる要素の組合せを示す。なお、利用者属性に係る項目としての性別には、「男性」および「女性」の何れかが要素として属している。また、問診に係る９項目は、９つの質問に係る項目であれば良い。そして、問診に係る９項目には、「はい」および「いいえ」の何れかの回答が要素として属している。なお、問診に係る各項目に対する回答は、「はい」および「いいえ」に限られず、例えば、頻度に係る値域等と言った複数の選択肢のうちの１つの選択肢であっても良い。
【００６０】
また、図９で示されるように、各要素組合せ情報には、健康情報に係る２項目についての要素が関連付けられている。健康情報に係る２項目には、健康状態およびアドバイスが含まれており、健康状態およびアドバイスに係る要素が属している。図９では、健康状態に係る要素として、要素１ｂおよび１ｅが示されており、アドバイスに係る要素として、要素１Ａ，１Ｆが示されている。そして、例えば、健康状態およびアドバイスに係る各要素に対応するテキスト情報が、テキスト情報１４３に格納されていれば良い。具体的には、例えば、各要素１ｂ，１ｅ，１Ａ，１Ｆに対応するテキスト情報が、テキスト情報１４３に格納されていれば良い。
【００６１】
なお、検出基準情報１４２ａは、例えば、リレーショナルデーターベース（ＲＤＢ）の方式で記述されても良いし、ＸＭＬが用いられて記述されても良いし、要素組合せ情報毎にＣＳＶ形式で記述されても良い。
【００６２】
また、図１０で示されるように、検出基準情報１４２ａには、複数の項目のうちの１以上の数値項目とは異なる１以上の別項目および１以上の数値項目にわたる要素の相違量の各組合せに対して健康情報に係る要素が関連付けられている情報が含まれていても良い。図１０では、体重体組成に係る２項目、血圧に係る２項目および血液生化学に係る５項目を含む数値項目に係る９項目について、値域を示す要素の相違量の組合せが、数値の列としてのパスの差分（パス差分とも言う）で示されている。ここでは、値域を示す要素の相違量が、値域の離間量としての０，１，２，３，４，５で示されている。
【００６３】
具体的には、図１０では、一例として、８番目の項目としての血糖値の項目以外の項目については、値域を示す要素の相違量が０であり、血糖値の項目については、値域を示す要素の相違量がそれぞれ０，１，２，３，４とされたパス差分が示されている。さらに、血糖値の項目についての値域を示す要素の相違量が０，１，２，３，４である各パス差分には、健康情報としての差分に係るコメントを示す要素として、要素Ｄｃ０〜Ｄｃ２が関連付けられている。そして、例えば、各要素Ｄｃ０〜Ｄｃ２に対応するテキスト情報が、テキスト情報１４３に格納されていれば良い。
【００６４】
経時変化情報１４４は、要素の組合せと、該要素の組合せに対応する要素の相違量の組合せとが関連付けられた情報である。該経時変化情報１４４は、例えば、蓄積制御部１６７によって記憶部１４に蓄積される。また、統計情報１４５は、要素の組合せ毎の、要素の相違量の組合せに係る統計的な情報である。該統計情報１４５は、例えば、統計情報導出部１６８によって導出される。また、付加情報１４６は、健康情報検出部１６４によって検出される健康情報に対して、信号受付部１７２で受け付けられた信号に応じて付加される付加情報である。該付加情報１４６は、例えば、利用者を担当する医師が病院サーバー２０において操作部２１を種々操作することで、入力されれば良い。
【００６５】
＜(１−２−３−２)ＤＣサーバーの機能的な構成＞
データー取得部１６１は、１以上の数値項目の各項目について、一利用者の状態に係る数値を取得し、１以上の数値項目とは異なる１以上の別項目の各項目について、該一利用者に係る要素を取得する。一利用者に係る数値および要素は、例えば、データー取得部１６１によって、ＰＨＲ１４１から取得されれば良い。ここで、データー取得部１６１によって、例えば、ＰＨＲ１４１に格納されている、一利用者の状態に係る測定および検査のうちの少なくとも一方の結果を示す情報から、各数値項目についての一利用者の状態に係る数値が取得されれば良い。なお、各数値項目についての一利用者の状態に係る数値のうち、利用者属性に係る２項目である年齢および身長に係る数値については、例えば、一利用者によって端末機器３０が操作されることで入力されたものであれば良い。
【００６６】
また、各別項目については、データー取得部１６１によって、例えば、複数の選択肢からの一選択肢の選択結果に応じて電子カルテＤＢ２４１を介してＰＨＲ１４１に格納されている一利用者に係る要素が取得されれば良い。複数の選択肢は、例えば、端末機器３０の表示部２２に表示される問診に係る選択肢であれば良く、一利用者によって端末機器３０が操作されることで、複数の選択肢のうちの一選択肢が選択されれば良い。
【００６７】
値域認識部１６２は、値域基準情報１４２ｂを参照することで、１以上の数値項目の各項目について、データー取得部１６１で取得される数値が属する値域を示す要素を認識する。ここでは、例えば、利用者属性に係る２項目、体重体組成に係る２項目、血圧に係る２項目および血液生化学に係る５項目を含む１１項目について、データー取得部１６１で取得された数値が、値域基準情報１４２ｂで示される何れの値域に含まれるのかが認識される。具体的には、例えば、血液生化学に係る項目である血糖値の数値が１３３である場合、図８で示される血糖値に係る５つの値域を示す要素から、１３３が属する値域を示す要素である１２０〜１４０が認識される。
【００６８】
組合せ決定部１６３は、データー取得部１６１によって１以上の別項目について取得された１以上の要素と、値域認識部１６２によって１以上の数値項目について認識された１以上の値域を示す要素との組合せを、一利用者の状態を示す要素の組合せとして決定する。ここで、１以上の別項目には、例えば、利用者属性に係る１項目としての性別および問診に係る９項目が含まれる。また、１以上の数値項目には、例えば、利用者属性に係る２項目、体重体組成に係る２項目、血圧に係る２項目および血液生化学に係る５項目が含まれる。
【００６９】
健康情報検出部１６４は、検出基準情報１４２ａを参照することで、組合せ決定部１６３によって決定された一利用者の状態を示す要素の組合せに対応する健康情報を検出する。例えば、検出基準情報１４２ａに格納されている複数の要素組合せ情報から、一利用者の状態を示す要素の組合せと合致する要素の組合せを含む要素組合せ情報が検出される。そして、検出された要素組合せ情報に関連付けられている健康情報に係る要素が検出基準情報１４２ａから検出され、該健康情報に係る要素に含まれる健康状態およびアドバイスに係る要素に対応するテキスト情報が、テキスト情報１４３から検出される。これにより、一利用者の状態を示す要素の組合せに対応する、健康状態およびアドバイスを含む健康情報が検出される。なお、検出基準情報１４２ａに格納されている複数の要素組合せ情報に、複数の項目のうちの一部の項目にわたる要素の組合せを示す情報が含まれている場合は、検査および問診等の全項目について利用者に係る要素が揃っていなくても、健康情報が検出され得る。
【００７０】
また、健康情報検出部１６４は、検出基準情報１４２ａを参照することで、相違量認識部１６６によって認識される一利用者の状態を示す要素の相違量の組合せに対応する健康情報を検出する。要素の相違量の組合せは、複数の項目のうちの少なくとも２項目に関する要素の組合せであれば良い。例えば、検出基準情報１４２ａに格納されている複数のパス差分から、一利用者に係る要素の相違量の組合せと合致するパス差分が検出される。そして、検出されたパス差分に関連付けられている、健康情報としての差分に係るコメントを示す要素が検出され、該差分に係るコメントを示す要素に対応するテキスト情報が、テキスト情報１４３から検出される。これにより、一利用者に係る要素の相違量の組合せに対応する差分に係るコメントを含む健康情報が検出される。
【００７１】
出力制御部１６５は、通信回線ＮＴＷを介した、病院サーバー２０、端末機器３０〜５０および管理用機器６０へのデーターの出力を制御する。例えば、出力制御部１６５によって、健康情報検出部１６４によって検出された健康情報が、通信回線ＮＴＷを介して、端末機器４０，５０に出力される。これにより、端末機器４０，５０では、一利用者の詳細な状況に即した健康情報が提示され得る。また、端末機器４０，５０では、要素の相違量の組合せに対応する健康情報の提示によって、一利用者の状態の変化に応じた健康情報も提示され得る。
【００７２】
相違量認識部１６６は、１以上の別項目および１以上の数値項目の少なくとも２項目に関し、第１時点と第２時点との間における要素の相違量を認識する。第２時点は第１時点よりも後の時点であれば良い。ここでは、各別項目に関する要素の相違量は、データー取得部１６１で各別項目について取得される第１時点に係る要素と第２時点に係る要素との相違量であれば良い。また、各数値項目に関する要素の相違量は、値域認識部１６２で各数値項目について認識される第１時点に係る値域を示す要素と第２時点に係る値域を示す要素との相違量であれば良い。
【００７３】
例えば、ＰＨＲ１４１に格納される、第１時点における値域を示す要素と、第２時点における値域を示す要素との相違量が、値域の離間量としての−５〜５の整数の形式で認識される。具体的には、例えば、一利用者に係る数値項目である血糖値について、第１時点における値域が１６０以上であった場合、第２時点における値域が１４０〜１６０であれば、値域が１つ下の値域になっており、要素の相違量が−１と認識される。また、第２時点における値域が１２０〜１４０であれば、値域が２つ下の値域になっており、要素の相違量が−２と認識される。一方、第１時点における値域が１００未満であった場合、第２時点における値域が１００〜１２０であれば、値域が１つ上の値域になっており、要素の相違量が＋１と認識される。また、第２時点における値域が１２０〜１４０であれば、値域が２つ上の値域になっており、要素の相違量が＋２と認識される。
【００７４】
蓄積制御部１６７は、データー取得部１６１で１以上の別項目について取得される１以上の要素と、値域認識部１６２で１以上の数値項目について認識される１以上の値域を示す要素との組合せと、該組合せに係る要素の相違量の組合せとを関連付ける。これにより、経時変化情報１４４が生成される。つまり、該経時変化情報１４４は、データー取得部１６１によって１以上の別項目について取得される１以上の要素と、値域認識部１６２によって１以上の数値項目について認識される１以上の値域を示す要素とに係る経時的な変化を示す情報である。そして、蓄積制御部１６７によって、経時変化情報１４４が記憶部１４に蓄積される。ここでは、要素の相違量は、相違量認識部１６６によって認識されたものであれば良い。
【００７５】
統計情報導出部１６８は、記憶部１４に蓄積された経時変化情報から、１以上の別項目についての１以上の要素と、１以上の数値項目についての１以上の値域を示す要素との組合せに対して、要素の相違量の組合せに係る統計情報１４５を導出する。ここでは、例えば、要素の各組合せに対して、所定期間経過後における要素の組合せとの間における要素の相違量の平均値が導出されても良いし、あるいは特定の疾患に罹患する確率（罹患率とも言う）が導出されても良い。特定の疾患は、例えば、糖尿病等であれば良い。罹患率は、例えば、予め設定された特定の数値項目に係る或る時点における要素と該或る時点から所定期間経過後における要素との間における要素の相違量を示す要素から、特定の数値項目に係る要素が所定期間経過後に所定要素に到達する確率として導出され得る。特定の数値項目は、例えば、血糖値等であれば良い。所定要素は、例えば、１４０以上等と言った予め設定された値域を示す要素であれば良い。所定期間は、例えば、１年間、３年間、５年間および１０年間等と言った予め設定された期間であれば良い。なお、統計情報導出部１６８による統計情報１４５の導出は、例えば、ＰＨＲ１４１に情報が追加されるタイミングおよび予め設定されたタイミングの少なくとも一方のタイミングで行われれば良い。予め設定されたタイミングは、例えば、１日間、１週間、１ヶ月間および１年間等と言った所定の期間が経過する毎のタイミングであれば良い。
【００７６】
ここで導出される統計情報１４５は、記憶部１４に記憶される。これにより、今後の予測としての統計情報１４５が準備される。ところで、このような統計情報１４５については、例えば、問診情報等が利用されて、生活習慣が維持された場合についての統計情報１４５と、生活習慣が改善された場合についての統計情報１４５とが導出されても良い。ここで、生活習慣としては、例えば、食事制限の有無等が考えられ得る。
【００７７】
情報追加部１６９は、統計情報１４５に基づく情報を、健康情報検出部１６４によって検出される健康情報に対して追加する。ここで、統計情報１４５に基づく情報は、例えば、統計情報１４５のうち、組合せ決定部１６３で決定された一利用者の状態を示す要素の組合せに対応する統計的な情報であれば良い。なお、統計情報１４５に基づく情報が付加された健康情報は、例えば、出力制御部１６５によって、通信回線ＮＴＷを介して、端末機器４０，５０へ出力される。これにより、端末機器４０，５０では、蓄積された情報に基づいて導出される統計的な情報が表示部２２において提示される。その結果、利用者はさらに詳しい健康情報を得ることができる。
【００７８】
変化判定部１７０は、統計情報導出部１６８によって導出される統計情報１４５の経時的な変化量が所定量以上であるか否かを判定する。変化判定部１７０では、第１タイミングにおける経時変化情報１４４から導出される第１統計情報１４５と、第２タイミングにおける経時変化情報１４４から導出される第２統計情報１４５との関係が、予め設定された関係を満たすか否かが判定される。ここで、第２タイミングは、第１タイミングよりも後のタイミングであれば良い。第１統計情報１４５は、第１タイミングにおいて記憶部１４に蓄積されている経時変化情報１４４から統計情報導出部１６８によって導出される要素の相違量の組合せに係る統計的な情報であれば良い。また、第２統計情報１４５は、第２タイミングにおいて記憶部１４に蓄積されている経時変化情報１４４から統計情報導出部１６８によって導出される要素の相違量の組合せに係る統計的な情報であれば良い。
【００７９】
ここで、予め設定された関係としては、例えば、所定期間が経過する前後における１以上の数値項目に係る要素の相違量についての平均値の差が、所定値以上である関係が採用され得る。所定期間は、例えば、１年間、３年間、５年間および１０年間等と言った予め設定された期間であれば良い。要素の相違量は、例えば、値域の離間量であれば良い。所定値は、例えば、１等の予め設定された値であれば良い。また、予め設定された関係として、例えば、１以上の特定の数値項目に係る要素が所定期間経過後に所定要素に到達する確率の差が、所定値以上である関係が採用されても良い。１以上の特定の数値項目は、例えば、血糖値等であれば良い。所定要素は、例えば、予め設定された値域を示す要素であれば良い。なお、所定期間は、例えば、１年間、３年間、５年間および１０年間等と言った予め設定された期間であれば良い。所定値は、例えば、１％等と言った予め設定された数値であれば良い。
【００８０】
報知制御部１７１は、変化判定部１７０による判定結果に応じた報知を予め設定された報知部に行わせる。ここで、変化判定部１７０による判定結果に応じた報知としては、例えば、変化判定部１７０によって第１統計情報１４５と第２統計情報１４５との関係が予め設定された関係を満たすものと判定された結果を示す報知であれば良い。また、報知部は、例えば、管理用機器６０の表示部２２であれば良い。これにより、統計情報１４５の変化に応じた報知によって、より新しい傾向を踏まえた健康情報に更新すべきことが報知され得る。その結果、例えば、健康支援システム１の管理者が、統計情報１４５の変化に応じて検出基準情報１４２ａ内の健康情報を更新すべきことを認識することができる。
【００８１】
信号受付部１７２は、予め設定された条件を満たす機器からの信号を受け付ける。予め設定された条件を満たす機器としては、例えば、病院サーバー２０および管理用機器６０等が挙げられる。予め設定された条件は、例えば、特定の識別情報の入力等と言った条件であれば良い。
【００８２】
情報付加部１７３は、健康情報検出部１６４によって検出される健康情報に対して、信号受付部１７２で受け付けられた信号に応じた情報（付加情報とも言う）を付加する。該付加情報が付加された健康情報は、例えば、出力制御部１６５によって、通信回線ＮＴＷを介して、端末機器４０，５０へ出力される。ここで、付加情報は、例えば、病院サーバー２０において医師が入力する一利用者に対するコメント等の情報であれば良い。これにより、端末機器４０，５０において、利用者毎の状況により即した健康情報が提示され得る。また、一利用者に対する付加情報は、例えば、記憶制御部１７４の制御によって、記憶部１４に付加情報１４６として記憶される。付加情報１４６には、例えば、各利用者に対する付加情報が格納される。そして、情報付加部１７３は、健康情報検出部１６４によって一利用者に対する健康情報が検出される度に、該健康情報に対して、記憶部１４に記憶されている付加情報１４６のうちの一利用者に係る付加情報を付加する。これにより、例えば、医師からのコメントに変更がない場合には、医師による入力操作の簡略化が図られ得る。すなわち、健康情報に更なる情報を付加する作業が簡略化され得る。
【００８３】
情報更新部１７５は、信号受付部１７２で受け付けられた信号に応じて、検出基準情報１４２ａに含まれる健康情報を更新する。例えば、報知部としての管理用機器６０の表示部２２における報知を視認した健康支援システム１の管理者が、検出基準情報１４２ａ内の健康情報を更新する態様が考えられる。これにより、例えば、統計情報１４５の変化に応じて、より新しい傾向を踏まえた健康情報が提示されるように健康情報が更新され得る。
【００８４】
＜(１−２−３−３)端末機器の機能的な構成＞
表示制御部２６１は、表示部２２における各種情報の可視的な出力を制御する。ここで、各種情報には、例えば、ＤＣサーバー１０から通信回線ＮＴＷを介して端末機器４０，５０に入力される健康情報が含まれる。ここで、例えば、情報付加部１７３によって健康情報に付加情報が付加されていれば、表示制御部２６１の制御によって、付加情報が付加された健康情報が表示部２２において可視的に出力される。また、例えば、情報追加部１６９によって統計情報１４５に基づく情報が健康情報に追加されていれば、表示制御部２６１の制御によって、統計情報１４５に基づく情報が付加された健康情報が表示部２２において可視的に出力される。
【００８５】
送信制御部２６２は、端末機器４０，５０の操作部２１の利用者による操作に応じて入力された情報（入力情報とも言う）のＤＣサーバー１０への送信を制御する。ここでは、例えば、送信制御部２６２によって、入力情報が通信回線ＮＴＷを介してＤＣサーバー１０に送信され、該入力情報が記憶制御部１７４によって記憶部１４に記憶される。ここで、入力情報としては、例えば、家庭等において利用者自身が各種機器を用いて測定することで得られた利用者の状態についての各種数値を示す情報が挙げられる。各種数値としては、例えば、血圧および血糖値等に係る数値が挙げられる。
【００８６】
＜(１−３)健康支援動作における画面の遷移＞
本実施形態では、健康支援システム１の利用者が端末機器４０，５０を用いて、通信回線ＮＴＷを経由してＤＣサーバー１０にアクセスすることで、健康支援機能に係る動作（健康支援動作とも言う）が実行される。ここで、健康支援動作において、端末機器４０，５０の表示部２２に表示される画面およびその遷移について説明する。なお、ここでは、糖尿病に関する健康支援を行う例に挙げて説明する。
【００８７】
図１１から図１７は、健康支援動作において端末機器４０，５０の表示部２２に表示される画面を例示する図である。
【００８８】
図１１は、端末機器４０，５０においてＤＣサーバー１０にアクセスした際に最初に表示されるトップ画面Ｔｐ１を模式的に例示する図である。トップ画面Ｔｐ１では、健康支援システム１が提供する健康支援に関するサービスの内容が紹介されている。また、トップ画面Ｔｐ１では、マウスポインターＭ１によって、ボタンＢＴ１の押下あるいはテキストリンクＴＬ１の指定が行われると、表示部２２に表示される画面が、糖尿病の危険度をチェックするための質問事項を提示する画面に移行する。このとき、その画面上で質問事項に対する回答が利用者によって入力されると、糖尿病の危険度が判定され、その判定結果が表示され得る。また、トップ画面Ｔｐ１では、利用者によって、例えば、ボタンＢＴ２がマウスポインターＭ１で押下されると、表示部２２に表示される画面が、図１２で示されるような医療機関を検索するための画面（検索画面とも言う）Ｐｒ１に移行する。これにより、糖尿病の危険度に係る判定結果に応じて、利用者が、自らの状態に応じた医療機関を探して、その医療機関で診察を受けることが可能となる。
【００８９】
また、医療機関における受診の際、あるいは問診、検査および診察等が終了した後に、利用者によって、トップ画面Ｔｐ１のログイン欄Ｌｉ１に、利用者の識別情報としてのログインＩＤおよびパスワードが記入されて、ログインボタンが押下されると、健康支援に関するサービスの提供が受けられる状態となるログインが行われる。該ログインによって、端末機器４０，５０の利用者が特定され得る。ログインＩＤおよびパスワードは、例えば、健康支援システム１に参加している医療機関から利用者に付与される。そして、医療機関の受診時あるいは受診後において、各端末機器３０〜５０においてログインが行われることで、表示部２２に表示される画面が、図１３で示されるような問診を行う画面（問診画面とも言う）Ｐｇ１に移行する。例えば、医療機関における受診の際には、診察に先立って行われる問診における回答が、タブレット等の端末機器３０から通信回線ＮＴＷを介して病院サーバー２０に送信され、電子カルテＤＢ２４１に記憶される。また、医療機関における受診の後には、問診に対し、利用者によって、自身の状態の変化に応じた新たな回答が、スマートフォン等の端末機器５０を介して入力され得る。なお、トップ画面Ｔｐ１において、ログインが行われた後に、ボタンＢＴ３がマウスポインターＭ１で押下されても、問診画面Ｐｇ１に移行する。
【００９０】
図１２は、検索画面Ｐｒ１を模式的に例示するための図である。検索画面Ｐｒ１では、所望の都道府県名のテキストリンク等がマウスポインターＭ１で指定されることで、該所望の都道府県における糖尿病を専門とする医療機関が表示される。これにより、利用者は、最寄りの糖尿病を専門とする医療機関を把握することができる。また、検索画面Ｐｒ１では、右下部のボタンＴｂ１がマウスポインターＭ１で押下されると、表示部２２に表示される画面が、トップ画面Ｔｐ１に戻る。また、検索画面Ｐｒ１では、右下部のボタンＲｂ１がマウスポインターＭ１で押下されると、検索結果あるいは検索途中の情報がクリアされて、表示部２２に表示される画面が、検索画面Ｐｒ１の初期画面に戻る。
【００９１】
図１３は、問診画面Ｐｇ１を模式的に例示するための図である。問診画面Ｐｇ１では、問診に係る各質問に対して、マウスポインターＭ１で「いいえ」を示すラジオボタンＮ１および「はい」を示すラジオボタンＹ１の何れか一方を択一的に選択することができる。ここで、各質問は、例えば、検出基準情報１４２ａにおける問診に係る９項目に対応するものであれば良い。該問診画面Ｐｇ１において、各質問に対してラジオボタンＮ１，Ｙ１の何れか一方が選択された状態で、左下部のボタンＣｈ１がマウスポインターＭ１で押下されると、問診に係る各質問に対する回答が入力される。このとき、例えば、医療機関における受診の際には、問診画面Ｐｇ１上における問診に係る各質問に対する回答を示す問診情報が電子カルテＤＢ２４１に格納される。これにより、電子カルテＤＢ２４１に問診情報が容易に記憶され得る。また、例えば、医療機関における問診、検査および診察等が終了した後であれば、問診画面Ｐｇ１上における問診に係る各質問に対する回答を示す問診情報がＰＨＲ１４１に格納される。
【００９２】
なお、問診画面Ｐｇ１では、左下部のボタンＲｅ１がマウスポインターＭ１で押下されると、各質問に対してラジオボタンＮ１，Ｙ１の何れか一方が選択されている状態がリセットされる。このとき、例えば、リセットによって、全質問に対してラジオボタンＹ１またはラジオボタンＮ１が選択された状態とされれば良い。また、問診画面Ｐｇ１では、右下部のボタンＬｏ１がマウスポインターＭ１で押下されると、健康支援に関するサービスの提供が受けられる状態が解除されるログオフがなされ、表示部２２に表示される画面が、トップ画面Ｔｐ１に戻る。
【００９３】
また、問診画面Ｐｇ１では、上部のボタンＢ２〜Ｂ５のうちの何れか１つのボタンがマウスポインターＭ１で指定されると、表示部２２に表示される画面が、指定されたボタンに対応する画面Ｐｇ２〜Ｐｇ５に移行する。具体的には、例えば、ボタンＢ２がマウスポインターＭ１で指定されると、表示部２２に表示される画面が、図１４で示されるような利用者が測定したデーターを入力するための画面（データー入力画面とも言う）Ｐｇ２に移行する。例えば、ボタンＢ３がマウスポインターＭ１で指定されると、表示部２２に表示される画面が、図１５で示されるような利用者の健康を促進するためのアドバイスを提示する画面（アドバイス提示画面とも言う）Ｐｇ３に移行する。例えば、ボタンＢ４がマウスポインターＭ１で指定されると、表示部２２に表示される画面が、図１６で示されるような利用者に係る測定および健診のデーターを照会する画面（データー照会画面とも言う）Ｐｇ４に移行する。例えば、ボタンＢ５がマウスポインターＭ１で指定されると、表示部２２に表示される画面が、図１７で示されるような医師からのお知らせを表示する画面（お知らせ画面とも言う）Ｐｇ５に移行する。以下、各画面Ｐｇ２〜Ｐｇ５について説明する。
【００９４】
図１４は、データー入力画面Ｐｇ２を模式的に例示するための図である。データー入力画面Ｐｇ２では、利用者が測定したデーター（測定データーとも言う）を入力することができる。例えば、記入欄Ｃｓ１に、利用者が測定した各数値項目に係る数値が記入された状態で、ボタンＢ２２がマウスポインターＭ１で押下されると、利用者が測定した各数値項目に係る数値が、ＣＳＶ形式の測定データーとして入力される。また、記入欄Ｃｓ２に、利用者が測定した各数値項目に係る数値が記入された状態で、ボタンＢ２３が押下されると、利用者が測定した各数値項目に係る数値が測定データーとして入力される。ここで、入力される各数値項目に係る数値を示す測定データーとしての入力情報は、送信制御部２６２および記憶制御部１７４によってＰＨＲ１４１に登録される。なお、データー入力画面Ｐｇ２では、左下部のボタンＲｅ１がマウスポインターＭ１で押下されると、記入欄Ｃｓ１，Ｃｓ２に記入されている全ての数値が消去される。また、データー入力画面Ｐｇ２では、上部のボタンＢ１がマウスポインターＭ１で指定されると、表示部２２に表示される画面が、図１３で示された問診画面Ｐｇ１に移行する。
【００９５】
図１５は、アドバイス提示画面Ｐｇ３を模式的に例示するための図である。アドバイス提示画面Ｐｇ３では、健康情報検出部１６４によって検出される健康情報が可視的に出力される。例えば、アドバイス提示画面Ｐｇ３の表示欄Ａ３１において、健康情報検出部１６４によって検出される健康情報としての利用者に対するアドバイスが提示される。これにより、利用者は、自らの状態に応じた適切なアドバイス等の健康情報を得ることができる。なお、アドバイス提示画面Ｐｇ３の表示欄Ａ３１に差分に係るコメントが表示される場合、差分に係るコメントに利用者の努力を称える内容が含まれていれば、利用者の励みになり得る。利用者の努力を称える内容としては、例えば、「随分改善されました。この調子で努力を続けることにより健康な体に近づいていきます」等と言った文章が考えられる。また、アドバイスには、例えば、より詳しい健康情報を提供するために必要な検査項目および問診の項目を示す情報等が含まれていても良い。これにより、利用者は、より詳しい健康情報を得るための方法を容易に把握することができる。
【００９６】
また、例えば、アドバイス提示画面Ｐｇ３の表示欄Ａ３２において、情報付加部１７３によって健康情報に対して付加された付加情報が可視的に出力される。図１５には、付加情報として、医師が入力する利用者に対するコメントが提示されている一例が示されている。これにより、利用者は、自らの状態に応じた医師のコメントを含むより状態に即した健康情報を得ることができる。
【００９７】
また、例えば、アドバイス提示画面Ｐｇ３の表示欄Ａ３３において、情報追加部１６９によって健康情報に対して追加された統計情報１４５に基づく情報が可視的に出力される。図１５には、統計情報１４５に基づく情報として、食事制限の有無に対して、５年後および１０年後における糖尿病の罹患率と言った今後の予測が提示されている一例が示されている。これにより、利用者は、どの程度の生活習慣等の改善によって、どの程度の効果を得ることができるのかと言った実感を得ることができる。
【００９８】
そして、利用者は、アドバイス提示画面Ｐｇ３の内容を確認し、医療機関における受診が必要であれば、アドバイス提示画面Ｐｇ３のテキストリンクＴＬ３１をマウスポインターＭ１で指定することで、表示部２２に検索画面Ｐｒ１を表示させることができる。これにより、既に利用者が受診した医療機関とは異なる別の医療機関を検索することができる。なお、利用者は、アドバイス提示画面Ｐｇ３のテキストリンクＴＬ３２をマウスポインターＭ１で指定することで、過去の履歴としての過去の健康状態およびアドバイスを含む健康情報を閲覧することができる。
【００９９】
ところで、一般的に、医者は、各患者について、問診の結果を参照しながら必要な検査を実施するとともに診察を行い、問診、検査および診察の結果を電子カルテに記入する。このとき、検査の結果は、リアルタイムで得られる訳ではないため、患者には後日の再診察を受けさせ、その再診察の際に、検査の結果とともに該検査の結果を踏まえた診断の結果を患者に伝える。これに対して、本実施形態に係る健康支援システム１では、医師等によって、各利用者についての問診、検査、測定および診察等に係る結果を示す情報が電子カルテＤＢ２４１に格納される。そして、ＤＣサーバー１０を介して、問診、検査、測定および診察等に係る結果を示す情報が総合的に用いられて検出された、利用者としての患者へのアドバイス等を含む健康情報が、アドバイス提示画面Ｐｇ３等によって利用者に提供される。これにより、利用者としての患者は、再診察を受けずとも、問診、検査、測定および診察等に係る結果を踏まえた健康情報が容易に得られる。したがって、例えば、地理的および時間的な制約を有する多種多様な利用者としての患者の利便性の向上が図られ得る。
【０１００】
図１６は、データー照会画面Ｐｇ４を模式的に例示するための図である。データー照会画面Ｐｇ４では、ＰＨＲ１４１に格納される利用者自身の各種データーが可視的に出力される。
【０１０１】
例えば、データー照会画面Ｐｇ４の表示欄Ａ４１には、データー入力画面Ｐｇ２で入力された利用者自身が測定したデーターが、可視的に出力される。なお、図１６では、利用者自身が測定したデーターが、測定日時毎に記述された一覧表の形式で表示されている一例が示されている。そして、例えば、テキストリンクＴＬ４１がマウスポインターＭ１で指定されることで、利用者自身が測定したデーターの経時的な変化がグラフの形式で表示される。これにより、利用者は、利用者自身が測定したデーターを容易に確認することができる。
【０１０２】
また、例えば、データー照会画面Ｐｇ４の表示欄Ａ４２には、病院サーバー２０の電子カルテＤＢ２４１からＰＨＲ１４１に格納された検査結果に係る情報が可視的に出力される。なお、図１６では、検査結果に係る情報が、測定日時毎に記述された一覧表の形式で表示されている一例が示されている。なお、検査結果に係る情報についても、例えば、経時的な変化がグラフの形式で表示されても良い。データー照会画面Ｐｇ４において表示される各種情報は、例えば、制御部１６によって記憶部１４内に格納されているＰＨＲ１４１等の各種情報に基づいて生成されれば良い。これにより、利用者は、該利用者自身の検査結果に係る情報を容易に確認することができる。
【０１０３】
図１７は、お知らせ画面Ｐｇ５を模式的に例示するための図である。お知らせ画面Ｐｇ５では、病院サーバー２０における医師の入力に応じて電子カルテＤＢ２４１を経てＰＨＲ１４１に格納される情報に基づいて、表示欄Ａ５１に医師からのお知らせに係る情報が可視的に出力される。該お知らせ画面Ｐｇ５では、マウスポインターＭ１によってテキストリンクＴＬ５１が指定されることで、医療機関の受診の予約を行うための画面（予約画面とも言う）が提示されても良い。
【０１０４】
＜(１−４)健康支援システムの処理フロー＞
図１８から図２５は、健康支援システム１における健康支援動作に係る処理フローを例示する流れ図である。本処理フローは、例えば、ＤＣサーバー１０における制御部１６および端末機器４０，５０における制御部２６との協働によって実現され得る。なお、ここでは、医療機関における受診後に、一利用者が端末機器５０からＤＣサーバー１０にアクセスする場合を例にとって説明する。
【０１０５】
まず、図１８のステップＳ１では、制御部１６によって、第１基準情報としての検出基準情報１４２ａが記憶部１４に記憶されている状態に設定される。
【０１０６】
ステップＳ２では、制御部１６によって、端末機器５０からＤＣサーバー１０へのアクセスがあるか否かが判定される。ここで、端末機器５０からＤＣサーバー１０へのアクセスがあるまで、ステップＳ２の判定が繰り返され、端末機器５０からＤＣサーバー１０へのアクセスがあれば、ステップＳ３に進む。
【０１０７】
ステップＳ３では、制御部１６，２６によって、端末機器５０の表示部２２にトップ画面Ｔｐ１（図１１）が表示される。なお、後述するステップＳ６においてログイン状態に設定された後であって、ログオフが行われるまでの間、トップ画面Ｔｐ１のログインボタンは、ログオフボタンに変更された状態となる。
【０１０８】
ステップＳ４では、制御部１６によって、トップ画面Ｔｐ１上における各種入力が受け付けられる。
【０１０９】
ステップＳ５では、制御部１６によって、トップ画面Ｔｐ１において、ログイン欄Ｌｉ１にログインＩＤおよびパスワード等の識別情報が記入され、且つマウスポインターＭ１でログインボタンが押下されることによるログインの要求があるか否かが判定される。ここで、ログインの要求があれば、ステップＳ６に進み、ログインの要求がなければ、ステップＳ７に進む。
【０１１０】
ステップＳ６では、制御部１６によって、ログインの要求の際に端末機器５０から入力された識別情報に基づいて、端末機器５０の一利用者が特定される。これにより、制御部１６によって、ログインがなされた状態（ログイン状態とも言う）に設定されて、図１９のステップＳ１１に進む。
【０１１１】
ステップＳ７では、制御部１６によって、トップ画面Ｔｐ１において、マウスポインターＭ１によってボタンＢＴ３が押下されたか否かが判定される。ここで、ボタンＢＴ３が押下されれば、ステップＳ８に進む。一方、ボタンＢＴ３が押下されなければ、ステップＳ９に進む。
【０１１２】
ステップＳ８では、制御部１６によって、ログイン状態に設定されているか否か判定される。ここで、既にログイン状態に設定されていれば、図１９のステップＳ１１に進む。一方、ログイン状態に設定されていなければ、ステップＳ４に戻る。
【０１１３】
ステップＳ９では、制御部１６によって、端末機器５０においてログオフが行われたか否かが判定される。ここでは、ログイン状態に設定されている状態で、ログオフボタンがマウスポインターＭ１で押下されれば、ログイン状態が解除されて、ステップＳ４に戻る。一方、ログイン状態に設定されていないか、またはログオフボタンがマウスポインターＭ１で押下されなければ、ステップＳ１０に進む。
【０１１４】
ステップＳ１０では、制御部１６によって、端末機器５０からＤＣサーバー１０へのアクセスが終了されるか否か判定される。ここで、端末機器５０からＤＣサーバー１０へのアクセスが終了されなければ、ステップＳ４に戻る。一方、端末機器５０からＤＣサーバー１０へのアクセスが終了されれば、ステップＳ２に戻る。
【０１１５】
図１９のステップＳ１１では、制御部１６，２６によって、端末機器５０の表示部２２に問診画面Ｐｇ１（図１３）が表示される。
【０１１６】
ステップＳ１２では、制御部１６によって、問診画面Ｐｇ１上における各種入力が受け付けられる。
【０１１７】
ステップＳ１３では、制御部１６によって、問診画面Ｐｇ１上のボタンＢ２〜Ｂ５の何れかがマウスポインターＭ１によって指定されることで他の画面Ｐｇ２〜Ｐｇ５への移行が指定されたか否かが判定される。ここで、他の画面Ｐｇ２〜Ｐｇ５への移行が指定されなければ、ステップＳ１４に進む。一方、他の画面Ｐｇ２〜Ｐｇ５への移行が指定されれば、図２０のステップＳ２１に進む。
【０１１８】
ステップＳ１４では、制御部１６によって、ＴＯＰ画面Ｔｐ１へ戻るか否かが判定される。ここで、問診画面Ｐｇ１上のボタンＴｂ１がマウスポインターＭ１で押下されなければ、ステップＳ１５に進む。一方、ボタンＴｂ１がマウスポインターＭ１で押下されれば、図１８のステップＳ３に戻る。
【０１１９】
ステップＳ１５では、制御部１６によって、端末機器５０においてログオフが行われたか否かが判定される。ここで、問診画面Ｐｇ１上のボタンＬｏ１がマウスポインターＭ１で押下されれば、ログイン状態が解除されて、図１８のステップＳ３に戻る。一方、ボタンＬｏ１がマウスポインターＭ１で押下されなければ、ステップＳ１６に進む。
【０１２０】
ステップＳ１６では、図１８のステップＳ１０と同様に、制御部１６によって、端末機器５０からＤＣサーバー１０へのアクセスが終了されるか否か判定される。ここで、端末機器５０からＤＣサーバー１０へのアクセスが終了されなければ、ステップＳ１７に進む。一方、端末機器５０からＤＣサーバー１０へのアクセスが終了されれば、図１８のステップＳ２に戻る。
【０１２１】
ステップＳ１７では、制御部１６によって、問診画面Ｐｇ１上のボタンＣｈ１が押下されることで問診情報の入力が指定されたか否かが判定される。ここで、問診情報の入力が指定されれば、ステップＳ１８に進む。一方、問診情報の入力が指定されなければ、ステップＳ１９に進む。
【０１２２】
ステップＳ１８では、制御部１６によって、問診画面Ｐｇ１上における問診に係る各質問に対する回答を示す問診情報がＰＨＲ１４１に格納されることで、一利用者に係る問診情報の入力および更新が行われる。そして、ステップＳ１２に戻る。
【０１２３】
ステップＳ１９では、制御部１６によって、問診画面Ｐｇ１上のボタンＲｅ１が押下されることでリセットが指定されたか否かが判定される。ここで、リセットが指定されなければ、ステップＳ１２に戻る。一方、リセットが指定されれば、ステップＳ２０に進む。
【０１２４】
ステップＳ２０では、制御部１６によって、問診画面Ｐｇ１上において各質問に対する選択内容がリセットされて、ステップＳ１２に戻る。
【０１２５】
図２０のステップＳ２１では、制御部１６によって、マウスポインターＭ１によるボタンＢ１の指定によって問診画面Ｐｇ１への移行が指定されたか否かが判定される。ここで、問診画面Ｐｇ１への移行が指定されていれば、図１９のステップＳ１１に進む。一方、問診画面Ｐｇ１への移行が指定されていなければ、ステップＳ２２に進む。
【０１２６】
ステップＳ２２では、制御部１６によって、マウスポインターＭ１によるボタンＢ２の指定によってデーター入力画面Ｐｇ２への移行が指定されたか否かが判定される。ここで、データー入力画面Ｐｇ２への移行が指定されていれば、図２１のステップＳ３１に進む。一方、データー入力画面Ｐｇ２への移行が指定されていなければ、ステップＳ２３に進む。
【０１２７】
ステップＳ２３では、制御部１６によって、マウスポインターＭ１によるボタンＢ３の指定によってアドバイス提示画面Ｐｇ３への移行が指定されたか否かが判定される。ここで、アドバイス提示画面Ｐｇ３への移行が指定されていれば、図２２のステップＳ４１に進む。一方、アドバイス提示画面Ｐｇ３への移行が指定されていなければ、ステップＳ２４に進む。
【０１２８】
ステップＳ２４では、制御部１６によって、マウスポインターＭ１によるボタンＢ４の指定によってデーター照会画面Ｐｇ４への移行が指定されたか否かが判定される。ここで、データー照会画面Ｐｇ４への移行が指定されていれば、図２３のステップＳ６１に進む。一方、データー照会画面Ｐｇ４への移行が指定されていなければ、お知らせ画面Ｐｇ５への移行が指定されているものとして、図２４のステップＳ７１に進む。
【０１２９】
図２１のステップＳ３１では、制御部１６，２６によって、端末機器５０の表示部２２にデーター入力画面Ｐｇ２（図１４）が表示される。
【０１３０】
ステップＳ３２では、制御部１６によって、データー入力画面Ｐｇ２上における各種入力が受け付けられる。
【０１３１】
ステップＳ３３では、制御部１６によって、データー入力画面Ｐｇ２上のボタンＢ１，Ｂ３〜Ｂ５の何れかがマウスポインターＭ１によって指定されることで他の画面Ｐｇ１，Ｐｇ３〜Ｐｇ５への移行が指定されたか否かが判定される。ここで、他の画面Ｐｇ１，Ｐｇ３〜Ｐｇ５への移行が指定されていなければ、ステップＳ３４に進む。一方、他の画面Ｐｇ１，Ｐｇ３〜Ｐｇ５への移行が指定されていれば、図２０のステップＳ２１に進む。
【０１３２】
ステップＳ３４では、制御部１６によって、ＴＯＰ画面Ｔｐ１へ戻るか否かが判定される。ここで、データー入力画面Ｐｇ２上のボタンＴｂ１がマウスポインターＭ１で押下されなければ、ステップＳ３５に進む。一方、ボタンＴｂ１がマウスポインターＭ１で押下されれば、図１８のステップＳ３に戻る。
【０１３３】
ステップＳ３５では、制御部１６によって、端末機器５０においてログオフが行われたか否かが判定される。ここで、データー入力画面Ｐｇ２上のボタンＬｏ１がマウスポインターＭ１で押下されれば、ログイン状態が解除されて、図１８のステップＳ３に戻る。一方、ボタンＬｏ１がマウスポインターＭ１で押下されなければ、ステップＳ３６に進む。
【０１３４】
ステップＳ３６では、図１８のステップＳ１０と同様に、制御部１６によって、端末機器５０からＤＣサーバー１０へのアクセスが終了されるか否か判定される。ここで、端末機器５０からＤＣサーバー１０へのアクセスが終了されなければ、ステップＳ３７に進む。一方、端末機器５０からＤＣサーバー１０へのアクセスが終了されれば、図１８のステップＳ２に戻る。
【０１３５】
ステップＳ３７では、制御部１６によって、データー入力画面Ｐｇ２上のボタンＢ２２またはボタンＢ２３が押下されることで測定データーの取り込みが指定されたか否かが判定される。ここで、測定データーの取り込みが指定されれば、ステップＳ３８に進む。一方、測定データーの取り込みが指定されていなければ、ステップＳ３９に進む。
【０１３６】
ステップＳ３８では、制御部１６によって、データー入力画面Ｐｇ２の記入欄Ｃｓ１あるいは記入欄Ｃｓ２に記入された数値が測定データーとしてＰＨＲ１４１に記憶される。
【０１３７】
ステップＳ３９では、制御部１６によって、データー入力画面Ｐｇ２上のボタンＲｅ１が押下されることでリセットが指定されたか否かが判定される。ここで、リセットが指定されていなければ、ステップＳ３２に戻る。一方、リセットが指定されていれば、ステップＳ４０に進む。
【０１３８】
ステップＳ４０では、制御部１６によって、データー入力画面Ｐｇ２上において記入欄Ｃｓ１，Ｃｓ２に記入されていた数値がリセットされて、ステップＳ３２に戻る。
【０１３９】
図２２のステップＳ４１では、制御部１６のデーター取得部１６１によって、１以上の数値項目の各項目について、一利用者の状態に係る数値が取得され、１以上の数値項目とは異なる１以上の別項目の各項目について、該一利用者に係る要素が取得される。ここでは、ＰＨＲ１４１から一利用者に係る要素が取得され得る。
【０１４０】
ステップＳ４２では、制御部１６の値域認識部１６２によって、値域基準情報１４２ｂが参照されることで、１以上の数値項目における各項目について、ステップＳ４１で取得された数値が属する値域を示す要素が認識される。
【０１４１】
ステップＳ４３では、制御部１６の組合せ決定部１６３によって、ステップＳ４１で１以上の別項目について取得された１以上の要素と、ステップＳ４２で１以上の数値項目について認識された１以上の値域を示す要素との組合せが決定される。つまり、該要素の組合せが、一利用者の状態を示す要素の組合せとして決定される。
【０１４２】
ステップＳ４４では、制御部１６の健康情報検出部１６４によって、検出基準情報１４２ａが参照されることで、ステップＳ４３で決定された一利用者の状態を示す要素の組合せに対応する健康情報が検出される。ここでは、検出基準情報１４２ａが参照されることで、相違量認識部１６６によって認識される一利用者の数値に係る要素の相違量の組合せに対応する健康情報が検出されても良い。
【０１４３】
ステップＳ４５では、制御部１６の情報追加部１６９によって、統計情報１４５に基づく情報が、ステップＳ４４で検出された健康情報に対して追加される。統計情報１４５は、統計情報導出部１６８によって導出されて記憶部１４に記憶されているものであれば良い。
【０１４４】
ステップＳ４６では、制御部１６の情報付加部１７３によって、一利用者に係る付加情報が付加される。該一利用者に係る付加情報は、信号受付部１７２で受け付けられた信号に応じた情報であれば良く、例えば、記憶部１４に記憶されている付加情報１４６に含まれているものであっても良い。
【０１４５】
ステップＳ４７では、制御部１６の出力制御部１６５および制御部２６の表示制御部２６１によって、端末機器５０の表示部２２にアドバイス提示画面Ｐｇ３（図１５）が表示される。アドバイス提示画面Ｐｇ３では、ステップＳ４４で検出された健康情報が可視的に出力される。このとき、例えば、ステップＳ４５で追加された情報ならびにステップＳ４６で付加された情報が併せて表示され得る。
【０１４６】
ステップＳ４８では、制御部１６によって、アドバイス提示画面Ｐｇ３上における各種入力が受け付けられる。
【０１４７】
ステップＳ４９では、制御部１６によって、アドバイス提示画面Ｐｇ３上のボタンＢ１，Ｂ２，Ｂ４，Ｂ５の何れかがマウスポインターＭ１によって指定されることで他の画面Ｐｇ１，Ｐｇ２，Ｐｇ４，Ｐｇ５への移行が指定されたか否かが判定される。ここで、他の画面Ｐｇ１，Ｐｇ２，Ｐｇ４，Ｐｇ５への移行が指定されていなければ、ステップＳ５０に進む。一方、他の画面Ｐｇ１，Ｐｇ２，Ｐｇ４，Ｐｇ５への移行が指定されていれば、図２０のステップＳ２１に進む。
【０１４８】
ステップＳ５０では、制御部１６によって、ＴＯＰ画面Ｔｐ１へ戻るか否かが判定される。ここで、アドバイス提示画面Ｐｇ３上のボタンＴｂ１がマウスポインターＭ１で押下されなければ、ステップＳ５１に進む。一方、ボタンＴｂ１がマウスポインターＭ１で押下されれば、図１８のステップＳ３に戻る。
【０１４９】
ステップＳ５１では、制御部１６によって、端末機器５０においてログオフが行われたか否かが判定される。ここで、アドバイス提示画面Ｐｇ３上のボタンＬｏ１がマウスポインターＭ１で押下されれば、ログイン状態が解除されて、図１８のステップＳ３に戻る。一方、ボタンＬｏ１がマウスポインターＭ１で押下されなければ、ステップＳ５２に進む。
【０１５０】
ステップＳ５２では、図１８のステップＳ１０と同様に、制御部１６によって、端末機器５０からＤＣサーバー１０へのアクセスが終了されるか否か判定される。ここで、端末機器５０からＤＣサーバー１０へのアクセスが終了されなければ、ステップＳ５３に進む。一方、端末機器５０からＤＣサーバー１０へのアクセスが終了されれば、図１８のステップＳ２に戻る。
【０１５１】
ステップＳ５３では、制御部１６によって、アドバイス提示画面Ｐｇ３上のテキストリンクＴＬ３１がマウスポインターＭ１によって指定されたか否かが判定される。ここで、テキストリンクＴＬ３１がマウスポインターＭ１で指定されなければ、ステップＳ５４に進む。一方、テキストリンクＴＬ３１がマウスポインターＭ１で指定されれば、図２５のステップＳ９１に進む。
【０１５２】
ステップＳ５４では、制御部１６によって、アドバイス提示画面Ｐｇ３上のテキストリンクＴＬ３２がマウスポインターＭ１で指定されたか否かが判定される。ここで、テキストリンクＴＬ３２がマウスポインターＭ１で指定されれば、ステップＳ５５に進む。一方、テキストリンクＴＬ３２がマウスポインターＭ１で指定されなければ、ステップＳ５６に進む。
【０１５３】
ステップＳ５５では、制御部１６の出力制御部１６５および制御部２６の表示制御部２６１によって、アドバイス提示画面Ｐｇ３上において、過去の履歴としての過去の健康状態とアドバイスを含む健康情報が表示される。このとき、テキストリンクＴＬ３２は、「現在の健康状態とアドバイスを見る」との履歴表示を終了させるテキストリンク（履歴終了リンクとも言う）に切り替わる。
【０１５４】
ステップＳ５６では、制御部１６によって、アドバイス提示画面Ｐｇ３上の履歴表示を終了させる履歴終了リンクが指定されたか否かが判定される。ここで、履歴終了リンクがマウスポインターＭ１で指定されなければ、ステップＳ４８に戻る。一方、履歴終了リンクがマウスポインターＭ１で指定されれば、ステップＳ４７に戻る。
【０１５５】
図２３のステップＳ６１では、制御部１６によって、一利用者に係る測定および健診のデーターが取得される。ここでは、ＰＨＲ１４１から一利用者に係る測定および健診のデーターが取得されれば良い。
【０１５６】
ステップＳ６２では、制御部１６の出力制御部１６５および制御部２６の表示制御部２６１によって、端末機器５０の表示部２２において、データー照会画面Ｐｇ４（図１６）が表示される。該データー照会画面Ｐｇ４では、ステップＳ６１で取得された一利用者に係る測定および健診のデーターが可視的に出力される。
【０１５７】
ステップＳ６３では、制御部１６によって、データー照会画面Ｐｇ４上における各種入力が受け付けられる。
【０１５８】
ステップＳ６４では、制御部１６によって、データー照会画面Ｐｇ４上のボタンＢ１〜Ｂ３，Ｂ５の何れかがマウスポインターＭ１によって指定されることで他の画面Ｐｇ１〜Ｐｇ３，Ｐｇ５への移行が指定されたか否かが判定される。ここで、他の画面Ｐｇ１〜Ｐｇ３，Ｐｇ５への移行が指定されていなければ、ステップＳ６５に進む。一方、他の画面Ｐｇ１〜Ｐｇ３，Ｐｇ５への移行が指定されていれば、図２０のステップＳ２１に進む。
【０１５９】
ステップＳ６５では、制御部１６によって、ＴＯＰ画面Ｔｐ１へ戻るか否かが判定される。ここで、データー照会画面Ｐｇ４上のボタンＴｂ１がマウスポインターＭ１で押下されなければ、ステップＳ６６に進む。一方、ボタンＴｂ１がマウスポインターＭ１で押下されれば、図１８のステップＳ３に戻る。
【０１６０】
ステップＳ６６では、制御部１６によって、端末機器５０においてログオフが行われたか否かが判定される。ここで、データー照会画面Ｐｇ４上のボタンＬｏ１がマウスポインターＭ１で押下されれば、ログイン状態が解除されて、図１８のステップＳ３に戻る。一方、ボタンＬｏ１がマウスポインターＭ１で押下されなければ、ステップＳ６７に進む。
【０１６１】
ステップＳ６７では、図１８のステップＳ１０と同様に、制御部１６によって、端末機器５０からＤＣサーバー１０へのアクセスが終了されるか否か判定される。ここで、端末機器５０からＤＣサーバー１０へのアクセスが終了されなければ、ステップＳ６８に進む。一方、端末機器５０からＤＣサーバー１０へのアクセスが終了されれば、図１８のステップＳ２に戻る。
【０１６２】
ステップＳ６８では、制御部１６によって、データー照会画面Ｐｇ４上のテキストリンクＴＬ４１がマウスポインターＭ１で指定されたか否かが判定される。ここで、テキストリンクＴＬ４１がマウスポインターＭ１で指定されれば、ステップＳ６９に進む。一方、テキストリンクＴＬ４１がマウスポインターＭ１で指定されなければ、ステップＳ７０に進む。
【０１６３】
ステップＳ６９では、制御部１６の出力制御部１６５および制御部２６の表示制御部２６１によって、データー照会画面Ｐｇ４上において、一利用者に係る測定および健診のデーターがテーブル形式からグラフ形式に変更される。このとき、テキストリンクＴＬ４１は、「テーブルで見る」とのグラフ形式からテーブル形式に変更させるテキストリンク（テーブル形式リンクとも言う）に切り替わる。
【０１６４】
ステップＳ７０では、制御部１６によって、データー照会画面Ｐｇ４上のテーブル形式リンクが指定されたか否かが判定される。ここで、テーブル形式リンクがマウスポインターＭ１で指定されなければ、ステップＳ６３に戻る。一方、テーブル形式リンクがマウスポインターＭ１で指定されれば、ステップＳ６２に戻る。
【０１６５】
図２４のステップＳ７１では、制御部１６によって、一利用者に係る医師からのお知らせを示す情報（お知らせ情報とも言う）が取得される。ここでは、ＰＨＲ１４１から、一利用者に係るお知らせ情報が取得されれば良い。
【０１６６】
ステップＳ７２では、制御部１６の出力制御部１６５および制御部２６の表示制御部２６１によって、端末機器５０の表示部２２において、お知らせ画面Ｐｇ５（図１７）が表示される。ここでは、お知らせ画面Ｐｇ５において、ステップＳ７１で取得された一利用者に係るお知らせ情報が可視的に出力される。
【０１６７】
ステップＳ７３では、制御部１６によって、お知らせ画面Ｐｇ５上における各種入力が受け付けられる。
【０１６８】
ステップＳ７４では、制御部１６によって、お知らせ画面Ｐｇ５上におけるテキストリンクＴＬ５１がマウスポインターＭ１で指定されたか否かが判定される。ここで、テキストリンクＴＬ５１がマウスポインターＭ１で指定されれば、ステップＳ７５に進む。一方、テキストリンクＴＬ５１がマウスポインターＭ１で指定されなければ、ステップＳ７８に進む。
【０１６９】
ステップＳ７５では、制御部１６の出力制御部１６５および制御部２６の表示制御部２６１によって、端末機器５０の表示部２２に予約画面が表示される。
【０１７０】
ステップＳ７６では、制御部１６によって、予約画面上における各種入力が受け付けられる。ここで、一利用者は、予約画面上において、医療機関の受診の予約および該予約の確認等を行うことができる。
【０１７１】
ステップＳ７７では、制御部１６によって、予約画面上における終了ボタンがマウスポインターＭ１で押下されたか否かが判定される。ここで、終了ボタンがマウスポインターＭ１で押下されれば、ステップＳ７８に進む。一方、終了ボタンがマウスポインターＭ１で押下されなければ、ステップＳ７６に戻る。
【０１７２】
ステップＳ７８では、制御部１６によって、お知らせ画面Ｐｇ５上のボタンＢ１〜Ｂ４の何れかがマウスポインターＭ１によって指定されることで他の画面Ｐｇ１〜Ｐｇ４への移行が指定されたか否かが判定される。ここで、他の画面Ｐｇ１〜Ｐｇ４への移行が指定されていなければ、ステップＳ７９に進む。一方、他の画面Ｐｇ１〜Ｐｇ４への移行が指定されていれば、図２０のステップＳ２１に進む。
【０１７３】
ステップＳ７９では、制御部１６によって、ＴＯＰ画面Ｔｐ１へ戻るか否かが判定される。ここで、お知らせ画面Ｐｇ５上のボタンＴｂ１がマウスポインターＭ１で押下されなければ、ステップＳ８０に進む。一方、ボタンＴｂ１がマウスポインターＭ１で押下されれば、図１８のステップＳ３に戻る。
【０１７４】
ステップＳ８０では、制御部１６によって、端末機器５０においてログオフが行われたか否かが判定される。ここで、お知らせ画面Ｐｇ５上のボタンＬｏ１がマウスポインターＭ１で押下されれば、ログイン状態が解除されて、図１８のステップＳ３に戻る。一方、ボタンＬｏ１がマウスポインターＭ１で押下されなければ、ステップＳ８１に進む。
【０１７５】
ステップＳ８１では、図１８のステップＳ１０と同様に、制御部１６によって、端末機器５０からＤＣサーバー１０へのアクセスが終了されるか否か判定される。ここで、端末機器５０からＤＣサーバー１０へのアクセスが終了されなければ、ステップＳ７３に戻る。一方、端末機器５０からＤＣサーバー１０へのアクセスが終了されれば、図１８のステップＳ２に戻る。
【０１７６】
図２５のステップＳ９１では、制御部１６の出力制御部１６５および制御部２６の表示制御部２６１によって、端末機器５０の表示部２２に検索画面Ｐｒ１（図１２）が表示される。
【０１７７】
ステップＳ９２では、制御部１６によって、検索画面Ｐｒ１上における各種入力が受け付けられる。ここでは、例えば、マウスポインターＭ１による検索条件の入力に係る各種指定等が受け付けられる。
【０１７８】
ステップＳ９３では、制御部１６によって、検索条件が入力されたか否かが判定される。ここで、検索条件が入力されていれば、ステップＳ９４に進む。一方、検索条件が入力されていなければ、ステップＳ９６に進む。
【０１７９】
ステップＳ９４では、制御部１６によって、検索条件に応じた医療機関の検索が行われる。ここでは、例えば、記憶部１４に複数の医療機関の情報（医療機関情報とも言う）が蓄積されており、該医療機関情報から、検索条件に合致する医療機関が検索されれば良い。
【０１８０】
ステップＳ９５では、制御部１６の出力制御部１６５および制御部２６の表示制御部２６１によって、端末機器５０の表示部２２において、ステップＳ８４における検索結果が可視的に出力される。このとき、検索画面Ｐｒ１上には、検索結果とともに、検索をやり直すためのボタン（再検索ボタンとも言う）が表示される。
【０１８１】
ステップＳ９６では、制御部１６によって、検索画面Ｐｒ１上のボタンＢ１〜Ｂ５の何れかがマウスポインターＭ１によって指定されることで他の画面Ｐｇ１〜Ｐｇ５への移行が指定されたか否かが判定される。ここで、他の画面Ｐｇ１〜Ｐｇ５への移行が指定されていなければ、ステップＳ９７に進む。一方、他の画面Ｐｇ１〜Ｐｇ５への移行が指定されていれば、図２０のステップＳ２１に進む。
【０１８２】
ステップＳ９７では、制御部１６によって、ＴＯＰ画面Ｔｐ１へ戻るか否かが判定される。ここで、検索画面Ｐｒ１上のボタンＴｂ１がマウスポインターＭ１で押下されなければ、ステップＳ９８に進む。一方、ボタンＴｂ１がマウスポインターＭ１で押下されれば、図１８のステップＳ３に戻る。
【０１８３】
ステップＳ９８では、図１８のステップＳ１０と同様に、制御部１６によって、端末機器５０からＤＣサーバー１０へのアクセスが終了されるか否かが判定される。ここで、端末機器５０からＤＣサーバー１０へのアクセスが終了されなければ、ステップＳ９９に進む。一方、端末機器５０からＤＣサーバー１０へのアクセスが終了されれば、図１８のステップＳ２に戻る。
【０１８４】
ステップＳ９９では、制御部１６によって、検索画面Ｐｒ１上の検索をやり直すためのボタンＲｂ１がマウスポインターＭ１で押下されたか否かが判定される。ここで、ボタンＲｂ１がマウスポインターＭ１で押下されれば、ステップＳ９１に戻る。一方、ボタンＢｂ１がマウスポインターＭ１で押下されなければ、ステップＳ９６に戻る。
【０１８５】
＜(１−５)まとめ＞
以上のように、一実施形態に係る健康支援システム１では、各数値項目についての一利用者の状態に係る数値と、数値項目とは異なる各別項目についての一利用者に係る要素が取得される。次に、値域基準情報１４２ｂが参照されることで、各数値項目について、一利用者の状態に係る数値が属する値域を示す要素が認識される。さらに、検出基準情報１４２ａが参照されることで、一利用者に係る１以上の数値項目についての値域を示す要素と１以上の別項目についての一利用者に係る要素との組合せに対応する健康情報が検出される。そして、検出された健康情報が可視的に出力される。これにより、数値的なデーター等も含めた一利用者の幅広い状況に即した健康情報が漏れなく提示され得る。すなわち、利用者の詳細な状況に即した健康情報が提示され得る。
【０１８６】
ここでは、選択肢の選択および数値の入力に基づいて、利用者の状態に係る要素が取得され得る。具体的には、例えば、問診等における利用者による選択肢の選択、利用者自身による測定値の入力、医療機関における検査結果としての数値の入力および電子カルテからの入力等、と言った異なる種々の手法によって得られた利用者の状態に係る要素が取得され得る。これにより、利用者の様々な観点からの詳細な状況に即した健康情報が提示され得る。
【０１８７】
また、例えば、検出基準情報１４２ａに蓄積されている要素組合せ情報に、全項目のうちの一部の項目にわたる要素の組合せを示す要素組合せ情報が含まれており、該要素組合せ情報に対して健康情報が関連付けられている構成が採用され得る。このような構成により、例えば、問診に対する回答が未入力の項目がある場合、ならびに検査および測定が未実施であるために数値項目に係る数値が得られていない場合であっても、情報の欠落によって健康情報が得られないと言った不具合が生じ難い。
【０１８８】
＜(２)変形例＞
なお、本発明は上述の一実施形態に限定されるものではなく、本発明の要旨を逸脱しない範囲において種々の変更、改良等が可能である。
【０１８９】
例えば、上記一実施形態では、健康支援システム１における健康支援機能に係る主要な構成が、図４で示されるように、ＤＣサーバー１０と端末機器４０，５０とにおいて実現されていたが、これに限られない。例えば、健康支援機能に係る主要な構成のうちの少なくとも一部の構成がＤＣサーバー１０で実現され、他の一部の構成が端末機器４０，５０で実現されれば良い。また、例えば、健康支援機能に係る主要な構成のうちの一部の構成が他の情報機器において実現されても良い。さらに、例えば、健康支援機能に係る主要な構成が１台の情報処理機器において実現されても良い。この場合、例えば、医療機関に設置される情報処理機器において、健康支援機能に係る主要な構成が実現されれば良い。但し、端末機器４０，５０等と言った利用者が所持している情報機器において健康情報が可視的に出力されれば、利用者は、空間的および時間的な制約に拘わらず、詳細な状況に即した健康情報を得ることができる。
【０１９０】
また、上記一実施形態では、検出基準情報１４２ａにおいて、要素組合せ情報に対して健康情報を示す要素が関連付けられ、該健康情報を示す要素に対応する実体的な内容が別のテキスト情報１４３に格納されていたが、これに限られない。例えば、検出基準情報１４２ａにおいて、要素組合せ情報に対して健康情報の実体的な内容が直接関連付けられていても良い。
【０１９１】
なお、上記一実施形態および各種変形例をそれぞれ構成する全部または一部を、適宜、矛盾しない範囲で組み合わせ可能であることは、言うまでもない。
【符号の説明】
【０１９２】
１  健康支援システム
１０  データーセンターサーバー（ＤＣサーバー）
１２，２２  表示部
１４，２４  記憶部
１６，２６  制御部
２０  病院サーバー
３０〜５０  端末機器
６０  管理用機器
１４１  個人健康記録（ＰＨＲ）
１４２  知識ベース
１４２ａ  検出基準情報
１４２ｂ  値域基準情報
１４３  テキスト情報
１４４  経時変化情報
１４５  統計情報
１４６  付加情報
１６１  データー取得部
１６２  値域認識部
１６３  組合せ決定部
１６４  健康情報検出部
１６５  出力制御部
１６６  相違量認識部
１６７  蓄積制御部
１６８  統計情報導出部
１６９  情報追加部
１７０  変化判定部
１７１  報知制御部
１７２  信号受付部
１７３  情報付加部
１７４  記憶制御部
１７５  情報更新部
２４１  電子カルテデーターベース（電子カルテＤＢ）
２６１  表示制御部
２６２  送信制御部
ＮＴＷ  通信回線
Ｐ１〜Ｐ６  プログラム
【図１】
2014174775.tif 000003
【図２】
2014174775.tif 000004
【図３】
2014174775.tif 000005
【図４】
2014174775.tif 000006
【図５】
2014174775.tif 000007
【図６】
2014174775.tif 000008
【図７】
2014174775.tif 000009
【図８】
2014174775.tif 000010
【図９】
2014174775.tif 000011
【図１０】
2014174775.tif 000012
【図１１】
2014174775.tif 000013
【図１２】
2014174775.tif 000014
【図１３】
2014174775.tif 000015
【図１４】
2014174775.tif 000016
【図１５】
2014174775.tif 000017
【図１６】
2014174775.tif 000018
【図１７】
2014174775.tif 000019
【図１８】
2014174775.tif 000020
【図１９】
2014174775.tif 000021
【図２０】
2014174775.tif 000022
【図２１】
2014174775.tif 000023
【図２２】
2014174775.tif 000024
【図２３】
2014174775.tif 000025
【図２４】
2014174775.tif 000026
【図２５】
2014174775.tif 000027